(57)【特許請求の範囲】
【請求項１】
光源として複数個のＬＥＤが主走査方向に配列されているスキャナーを、副走査方向に移動させながらプラテンガラスに載置された原稿を走査し、画像データを読み取る原稿読み取り装置であって、
前記プラテンガラス上面を開閉し、前記プラテンガラスとの対向面が白色の原稿押さえ面となっているプラテンカバーと、
前記プラテンカバーの開成を検出する第１開閉検出手段と、
前記プラテンカバーの予め設定された閾角度での開成を検出する第２開閉検出手段と、前記第２開閉検出手段によって前記閾角度での開成が検出されることなく、第１開閉検出手段によって前記プラテンカバーの開閉が検出されると、前記スキャナーによって複数個の前記ＬＥＤにおける前記原稿の主走査方向の位置合わせを行う主走査方向基準線側の一部のみを点灯させた判定用走査により判定データを取得させ、取得された前記判定データに基づいて前記原稿押さえ面に生じる影を検出し、検出した影に基づいて主走査方向の原稿サイズを判定する原稿サイズ判定手段とを具備することを特徴とする原稿読み取り装置。
【請求項２】
前記判定用走査では、前記主走査方向基準線から、想定される原稿サイズの最小幅よりも狭い範囲の前記ＬＥＤを点灯させることを特徴とする請求項１記載の原稿読み取り装置。
【請求項３】
前記原稿サイズ判定手段は、前記原稿の副走査方向の位置合わせを行う副走査方向基準線から副走査方向に前記原稿の想定される最大長さを超える範囲の前記判定データを、前記判定用走査によって取得させ、取得された前記判定データに基づいて前記原稿押さえ面に生じる影の境界を検出し、検出した影の境界に基づいて副走査方向の原稿サイズを判定することを特徴とする請求項１又は２記載の原稿読み取り装置。
【発明の詳細な説明】
【技術分野】
【０００１】
本発明は、プラテンガラスに載置された原稿を読み取る原稿読み取り装置に係り、特に原稿サイズ判定機能を有する原稿読み取り装置に関する。
【背景技術】
【０００２】
従来、プラテンガラスに写真や文書等の原稿を読み取る原稿読み取り装置を備えた画像形成装置として電子複写機、ファクシミリ等が知られている。このような画像形成装置では、始めにプラテンガラスに載置された原稿の原稿サイズを判定し、判定した原稿サイズに基づいて読み取りの制御や印刷する用紙の選択等を行うものが知られている。
【０００３】
原稿サイズの検出方法としては、原稿を読み取るスキャナーによって読み取った画像データを用いて行うことが提案されている（例えば、特許文献１参照）。特許文献１では、プラテンカバーの開閉を２段階で検知する開閉検知手段を設け、プラテンカバーが閉じられかけたことを検知したら第１の走査を行なうと共に、プラテンカバーが完全に閉じられたことを検知したら第２の走査を行ない、これら２回の走査で得られたラインセンサー出力を基に原稿サイズを判定している。
【先行技術文献】
【特許文献】
【０００４】
【特許文献１】特開平１１−７５０２５号公報
【発明の概要】
【発明が解決しようとする課題】
【０００５】
特許文献１の従来技術において、プラテンカバーが閉じられかけた際に行う第１の走査は、原稿ＭＳ以外の範囲で、光源から照射された光が受光部に結像されない状態で行う必要がある。しかしながら、プラテンカバーの大きく開くことなく、プラテンガラスへの原稿の載置が行われた場合には、プラテンカバーが閉じられかけたことを検知できずに第1の走査が行われないことがある。または、第１の走査を行っても、光源から照射された光がプラテンカバーの反射で受光部に結像されてしまう。この場合には、第１の走査と第２の走査とに差がなくなり、地肌が白色の原稿のサイズを判定することができなくなってしまうという問題点があった。
【０００６】
本発明の目的は、上記問題点に鑑み、従来技術の問題を解決し、プラテンカバーを大きく開くことなく、プラテンガラスへの原稿の載置が行われた場合でも、地肌が白色の原稿のサイズを確実に判定することができる原稿読み取り装置を提供することにある。
【課題を解決するための手段】
【０００７】
本発明の原稿読み取り装置は、光源として複数個のＬＥＤが主走査方向に配列されているスキャナーを、副走査方向に移動させながらプラテンガラスに載置された原稿を走査し、画像データを読み取る原稿読み取り装置であって、前記プラテンガラス上面を開閉し、前記プラテンガラスとの対向面が白色の原稿押さえ面となっているプラテンカバーと、前記プラテンカバーの開成を検出する第１開閉検出手段と、前記プラテンカバーの予め設定された閾角度での開成を検出する第２開閉検出手段と、前記第２開閉検出手段によって前記閾角度での開成が検出されることなく、第１開閉検出手段によって前記プラテンカバーの開閉が検出されると、前記スキャナーによって複数個の前記ＬＥＤにおける前記原稿の主走査方向の位置合わせを行う主走査方向基準線側の一部のみを点灯させた判定用走査により判定データを取得させ、取得された前記判定データに基づいて前記原稿押さえ面に生じる影を検出し、検出した影に基づいて主走査方向の原稿サイズを判定する原稿サイズ判定手段とを具備することを特徴とする。
さらに、本発明の原稿読み取り装置において、前記判定用走査では、前記主走査方向基準線から、想定される原稿サイズの最小幅よりも狭い範囲の前記ＬＥＤを点灯させるようにしても良い。
さらに、本発明の原稿読み取り装置において、前記原稿サイズ判定手段は、前記原稿の副走査方向の位置合わせを行う副走査方向基準線から副走査方向に前記原稿の想定される最大長さを超える範囲の前記判定データを、前記判定用走査によって取得させ、取得された前記判定データに基づいて前記原稿押さえ面に生じる影の境界を検出し、検出した影の境界に基づいて副走査方向の原稿サイズを判定するようにしても良い。
【発明の効果】
【０００８】
本発明によれば、プラテンカバーを大きく開くことなく、プラテンガラスへの原稿の載置が行われた場合でも、複数個のＬＥＤにおける主走査方向基準線側の一部のみを点灯させた判定用走査により判定データを取得させ、取得された判定データに基づいて主走査方向の原稿サイズを判定することで、地肌が白色の原稿のサイズを確実に判定することができるという効果を奏する。
【図面の簡単な説明】
【０００９】
【図１】本発明に係る画像形成装置の実施の形態の構成を示す外観斜視図である。
【図２】本発明に係る画像形成装置の実施の形態の構成を示す外観斜視図である。
【図３】本発明に係る画像形成装置の実施の形態の内部構成を示す断面模式図である。
【図４】図３に示す光源の構成を示す外観斜視図である。
【図５】図１及び２に示す複写機の概略構成を示すブロック図である。
【図６】本発明に係る画像形成装置の実施の形態における原稿サイズ判定動作について説明するためのフローチャートである。
【図７】本発明に係る画像形成装置の実施の形態における第１の判定データ及び第２の判定データに基づく原稿サイズ判定動作について説明するための説明図である。
【図８】本発明に係る画像形成装置の実施の形態において第３の判定データを取得する際の光源の点灯状態を示す図である。
【図９】本発明に係る画像形成装置の実施の形態における第３の判定データ及び第２の判定データに基づく原稿サイズ判定動作について説明するための説明図である。
【発明を実施するための形態】
【００１０】
次に、本発明の実施の形態を、図面を参照して具体的に説明する。
本実施の形態の画像形成装置は、複写機１であり、図１及び図２を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、複写機１の手前側に配設されている。また、原稿給送部３と原稿読取部２とは、複写機１の奥側でヒンジ機構３６によって接続されており、原稿給送部３を手前側から上方に開くことで、原稿読取部２上面のプラテンガラス２２を開放可能な構成になっている。図１には、原稿給送部３を大きく開いた状態が、図２には、原稿給送部３を小さく開いた状態がそれぞれ示されている。なお、本件の画像形成装置は、複写機１で説明したが、スキャナー、複合機等が含まれるのは、言うまでもない。
【００１１】
複写機１の手前側には、複写機１の設定や動作指示を行う操作部５が配設されている。操作部５は、液晶表示部５１、操作ボタン５２が設けられている。ユーザーは操作部５を操作して指示を入力することで、複写機１の各種の設定を行い、画像形成等の各種機能を実行させる。液晶表示部５１は、複写機１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、複写機１の各種設定をデフォルト状態にする際に使用するリセットボタン、テンキー等が設けられている。
【００１２】
原稿読取部２は、図３を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿の搬送方向に移動可能に構成されている。光源２４は、図４を参照すると、奥側から手前側にかけて主走査方向に配列された複数個のＬＥＤアレイ２４１ａ〜２４１ｋと、ＬＥＤアレイ２４１ａ〜２４１ｋをそれぞれ駆動する駆動回路２４２ａ〜２４２ｋとで構成されている。なお、ＬＥＤアレイ２４１ａ〜２４１ｋは、複数個のＬＥＤが1次元配列されている素子である。プラテンガラス２２は、ガラス等の矩形状の透明部材により構成され、原稿読取部２の上面に配置された原稿台である。なお、本実施の形態では、図１に示すように、プラテンガラス２２における奥側に位置する辺（以下、主走査方向基準線Ａと称す）と奥側に向かって左側に位置する辺（以下、副走査方向基準線Ｂと称す）とで原稿ＭＳの位置合わせが行われる。原稿読取スリット２３は、原稿給送部３による原稿の搬送方向と直交する方向に形成されたスリットである。
【００１３】
原稿給送部３は、原稿載置部３１と、原稿搬送機構３２と、原稿排出部３３とを備えている。原稿載置部３１に載置された原稿は、原稿搬送機構３２によって、１枚ずつ順に繰り出されて原稿読取スリット２３に対向する位置へ搬送され、その後、原稿排出部３３に排出される。
【００１４】
原稿給送部３は、プラテンガラス２２上面を開閉するプラテンカバーとして機能し、原稿給送部３を上方に開くことで、プラテンガラス２２上面が開放され、プラテンガラス２２に原稿をセットできる状態となる。また、原稿給送部３におけるプラテンガラス２２との対向面は、白色の原稿押さえ面３４となっている。図１を参照すると、原稿読取部２には第２開閉検出センサー２６が、原稿給送部３には第１開閉検出センサー３５が、原稿給送部３（プラテンカバー）の開閉を検出する開閉検出手段としてそれぞれ設けられている。第１開閉検出センサー３５は、原稿給送部３（プラテンカバー）の開成を検出するマイクロスイッチであり、原稿給送部３（プラテンカバー）が閉成状態でオンされ、原稿給送部３（プラテンカバー）が開成状態でオフされる。第２開閉検出センサー２６は、原稿給送部３（プラテンカバー）の開成が予め設定された閾角度を上回ったことを検出するマイクロスイッチであり、原稿給送部３（プラテンカバー）の開成角度が閾角度以下でオンされ、原稿給送部３（プラテンカバー）の開成角度が閾角度を上回るとオフされる。なお、第２開閉検出センサー２６がオン／オフされる閾角度は、以下のように設定されている。すなわち、閾角度で原稿給送部３（プラテンカバー）が開成された状態で、原稿読取部２によって画像データの読み取りを行うと、原稿ＭＳ以外の範囲では、光源２４から照射された光が受光部２５に結像されないように、閾角度が設定されている。
【００１５】
原稿載置部３１に原稿が載置されていない状態や、原稿給送部３（プラテンカバー）が開いた開状態で、操作部５の操作ボタン５２によって原稿の読み取りが指示されると、プラテンガラス２２に載置された原稿が読み取られる。プラテンガラス２２に載置された原稿を読み取る場合には、スキャナー２１は、プラテンガラス２２に対向する位置に移動され、プラテンガラス２２に載置された原稿を主走査方向と直交する副走査方向に走査しながら読み取って画像データを取得し、取得した画像データを本体部４に出力する。
【００１６】
原稿載置部３１に原稿が載置された状態で、操作部５の操作ボタン５２によって原稿の読み取りが指示されると、原稿給送部３により搬送された原稿が読み取られる。原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１７】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部として機能する。
【００１８】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を記録紙Ｐに転写させる。定着部６６は、転写部６５によってトナー像が転写された記録紙を加熱してトナー像を記録紙に定着させる。そして感光体ドラム６１上に残存するトナーは、クリーニング部６７によって除去される。
【００１９】
図５には、複写機１の概略構成を示すブロック図が示されている。上述の原稿読取部２、原稿給紙部３、搬送部（給紙ローラー４２、搬送ローラー４４、排出ローラー４５）、操作部５及び記録部６は、制御部７に接続され、制御部７によって動作制御される。また、制御部７には、画像処理部８と、記憶部９とが接続されている。
【００２０】
制御部７は、ＲＯＭ（Read Only Memory）、ＲＡＭ（Random Access Memory）等を備えたマイクロコンピューター等の情報処理部である。ＲＯＭには複写機１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。また、制御部７は、第２開閉検出センサー２６及び第１開閉検出センサー３５のそれぞれのオン／オフの状況に応じて、原稿読取部２によって複数の判定データを取得させ、この複数の判定データに基づいて原稿ＭＳのサイズを判定する原稿サイズ判定部７１として機能する。なお、判定データは、原稿読取部２による幅判定用走査や長さ判定用走査で取得される。原稿読取部２による幅判定用走査は、原稿ＭＳの主走査方向のサイズを判定するための判定データを取得するための走査であり、副走査方向基準線Ｂから副走査方向に１〜複数ライン分の画像データを取得する。従って、副走査方向基準線Ｂから副走査方向に１〜複数ライン分の画像データが判定データとなる。また、原稿読取部２による長さ判定用走査は、原稿ＭＳの副走査方向のサイズを判定するための判定データを取得するための走査であり、副走査方向基準線Ｂから副走査方向に原稿ＭＳの想定される最大長さＬMAXを超える範囲の画像データを取得する。従って、副走査方向基準線Ｂから副走査方向に最大長さＬMAXを超える範囲の画像データが判定データとなる。
【００２１】
画像処理部８は、画像データに対して所定の画像処理を行う手段であり、例えば、拡大縮小処理や、階調調整、濃度調整等の画像改善処理が行われる。
【００２２】
記憶部９は、半導体メモリやＨＤＤ（Hard Disk Drive）等の記憶手段であり、原稿読取部２によって原稿を読み取ることで取得された画像データが記憶されると共に、各種の管理情報が記憶されている。
【００２３】
次に、本実施の形態の複写機１における原稿サイズ判定動作について図６乃至図９を参照して詳細に説明する。
原稿給送部３（プラテンカバー）を開けて、プラテンガラス２２上に原稿ＭＳをセットするオペレーターによる一連の動作（ステップＳ１）を検出するために、制御部７は原稿サイズ判定部７１として機能し、第１開閉検出センサー３５のオフ、すなわち原稿給送部３（プラテンカバー）の開成を監視している（ステップＳ２）。
【００２４】
ステップＳ２で第２開閉検出センサー２６がオフ、すなわち原稿給送部３（プラテンカバー）の開成が検出されると、原稿サイズ判定部７１は、第２開閉検出センサー２６のオフ、すなわち原稿給送部３（プラテンカバー）の閾角度を上回る開成と（ステップＳ３）、第１開閉検出センサー３５のオン、すなわち原稿給送部３（プラテンカバー）の閉成とを監視する（ステップＳ４）。
【００２５】
ステップＳ３で第２開閉検出センサー２６がオフ、すなわち原稿給送部３（プラテンカバー）の閾角度を上回る開成が検出されると、原稿サイズ判定部７１は、第２開閉検出センサー２６のオン、すなわち原稿給送部３（プラテンカバー）の開成が閾角度以下になるか否かを監視する（ステップＳ５）。このステップＳ５により、原稿給送部３（プラテンカバー）が閾角度よりも大きく開成された状態で原稿ＭＳがセットされた後に、原稿給送部３（プラテンカバー）が閉じられかけるタイミングを検出することができる。
【００２６】
ステップＳ５で第２開閉検出センサー２６のオフ、すなわち原稿給送部３（プラテンカバー）の開成が閾角度以下になったことが検出されると、原稿サイズ判定部７１は、原稿読取部２による幅判定用走査を実行させ、第１の判定データを取得させる（ステップＳ６）。ステップＳ６では、原稿給送部３（プラテンカバー）が閾角度で開成された状態で、原稿読取部２による幅判定用走査が行われ、図７に示すような第１の判定データが取得される。図７において、横軸は主走査方向、縦軸は受光部２５による検出信号（輝度）である。なお、受光部２５による検出信号は、明るい（白）場合ほど高くなり、暗い（黒）場合ほど低くなる。
【００２７】
次に、原稿サイズ判定部７１は、第１開閉検出センサー３５のオン、すなわち原稿給送部３（プラテンカバー）の閉成を監視する（ステップＳ７）。ステップＳ７で第１開閉検出センサー３５のオン、すなわち原稿給送部３（プラテンカバー）の閉成が検出されると、原稿サイズ判定部７１は、原稿読取部２による幅判定用走査を実行させ、第２の判定データを取得させる（ステップＳ８）。ステップＳ８では、原稿給送部３（プラテンカバー）が閉成された状態で、原稿読取部２による幅判定用走査が行われ、図７に示すような第２の判定データが取得される。図７（ａ）には、原稿ＭＳの地肌が白色の場合の第１の判定データ及び第２の判定データが、図７（ｂ）には、原稿ＭＳの地肌が黒色の場合の第１の判定データ及び第２の判定データがそれぞれ示されている。また、図７（ａ）、（ｂ）とも原稿押さえ面３４は白色である。
【００２８】
次に、原稿サイズ判定部７１は、ステップＳ６で取得された第１の判定データと、ステップＳ８で取得された第２の判定データとに基づき、主走査方向の原稿ＭＳのサイズを判定する（ステップＳ９）。原稿サイズ判定部７１は、第１の判定データ及び第２の判定データを予め設定された閾値Ｓと比較することで、主走査方向の原稿ＭＳのサイズを判定する。すなわち原稿ＭＳの地肌が白色の場合には、図７（ａ）に示す第１の判定データにおいて、原稿ＭＳと、それ以外の領域とで受光部２５による検出信号が大きな差となって現れる。従って、適切な閾値Ｓを設定しておくことで、第１の判定データに基づき、閾値Ｓ以上の箇所が主走査方向の原稿ＭＳのサイズとして判定される。また、原稿ＭＳの地肌が黒色の場合には、図７（ｂ）に示す第２の判定データにおいて、原稿ＭＳと、それ以外の領域とで受光部２５による検出信号が大きな差となって現れる。従って、適切な閾値Ｓを設定しておくことで、第２の判定データに基づき、閾値Ｓ未満の箇所が主走査方向の原稿ＭＳのサイズとして判定される。なお、原稿ＭＳの地肌は、想定される原稿サイズの主走査方向の最小幅ＷMIN内における検出信号と閾値Ｓとを比較することで判断することが可能である。
【００２９】
ステップＳ３で第２開閉検出センサー２６がオフ、すなわち原稿給送部３（プラテンカバー）の閾角度を上回る開成が検出されることなく、ステップＳ４で第１開閉検出センサー３５のオン、すなわち原稿給送部３（プラテンカバー）の閉成が検出されると、原稿サイズ判定部７１は、原稿読取部２による幅判定用走査を実行させ、第３の判定データを取得させ（ステップＳ１０）、さらに、ステップＳ８と同様の動作で第２の判定データを取得させる（ステップＳ１１）。ステップＳ１０で第３の判定データを取得する原稿読取部２による幅判定用走査は、他の幅判定用走査（ステップＳ６、Ｓ８、Ｓ１１）とは異なり、図８に示すように、複数個のＬＥＤアレイ２４１ａ〜２４１ｋの一部のみを点灯させて行われる。複数個のＬＥＤアレイ２４１ａ〜２４１ｋの点灯範囲は、主走査方向基準線Ａから原稿サイズの最小幅ＷMINよりも狭い範囲であり、図８に示す例では、ＬＥＤアレイ２４１ａ〜２４１ｃが点灯され、それ以外のＬＥＤアレイ２４１ｄ〜２４１ｋは、消灯された状態で幅判定用走査が行われる。これにより、原稿ＭＳの主走査方向基準線Ａから離れた辺の影が原稿押さえ面３４に生じる。従って、ステップＳ１０で取得される第３の判定データでは、図９に示すように、原稿押さえ面３４に生じる影の箇所の検出信号が低くなる。図９（ａ）には、原稿ＭＳの地肌が白色の場合の第３の判定データ及び第２の判定データが、図９（ｂ）には、原稿ＭＳの地肌が黒色の場合の第３の判定データ及び第２の判定データがそれぞれ示されている。また、図９（ａ）、（ｂ）とも原稿押さえ面３４は白色である。
【００３０】
次に、原稿サイズ判定部７１は、ステップＳ１０で取得された第３の判定データと、ステップＳ１１で取得された第２の判定データとに基づき、主走査方向の原稿ＭＳのサイズを判定する（ステップＳ１２）。原稿サイズ判定部７１は、第３の判定データ及び第２の判定データを予め設定された閾値Ｓと比較することで、主走査方向の原稿ＭＳのサイズを判定する。すなわち原稿ＭＳの地肌が白色の場合には、図９（ａ）に示す第３の判定データにおいて、原稿ＭＳ及び原稿押さえ面３４と、原稿押さえ面３４に生じる影の箇所とで受光部２５による検出信号が大きな差となって現れる。従って、第３の判定データに基づき、適切な閾値Ｓを設定して原稿押さえ面３４に生じる影の箇所を検出することで、主走査方向基準線Ａから原稿押さえ面３４に生じる影までの幅が主走査方向の原稿ＭＳのサイズとして判定される。また、原稿ＭＳの地肌が黒色の場合には、図９（ｂ）に示す第２の判定データにおいて、原稿ＭＳと、それ以外の領域とで受光部２５による検出信号が大きな差となって現れる。従って、適切な閾値Ｓを設定しておくことで、第２の判定データに基づき、閾値Ｓ未満の箇所が主走査方向の原稿ＭＳのサイズとして判定される。なお、原稿ＭＳの地肌は、想定される原稿サイズの主走査方向の最小幅ＷMIN内における検出信号と閾値Ｓとを比較することで判断することが可能である。
【００３１】
ステップＳ９もしくはステップＳ１２で主走査方向の原稿ＭＳのサイズを判定した後、原稿サイズ判定部７１は、副走査方向の原稿ＭＳのサイズを検知・判定し（ステップＳ１３）、原稿サイズ判定動作を終了する。原稿サイズ判定部７１は、原稿読取部２による長さ幅判定用走査を実行させて、長さ判定用の判定データを取得させ、取得された長さ判定用の判定データに基づき、副走査方向の原稿ＭＳのサイズを判定する。副走査方向のサイズ判定は、上述の主走査方向のサイズ判定と同様に、原稿ＭＳと、原稿押さえ面３４と、原稿押さえ面３４に生じる影とのそれぞれ検出信号の差によって行われる。従って、原稿ＭＳの地肌が白色で、第１の判定データもしくは第３の判定データによって主走査方向のサイズ判定が行われた場合には、ステップＳ１０と同様に複数個のＬＥＤアレイ２４１ａ〜２４１ｋの一部のみを点灯させて長さ幅判定用走査を実行させる。これにより、取得された長さ判定用の判定データにおいて、原稿ＭＳと、原稿押さえ面３４に生じる影との境界を検出可能となり、副走査方向の原稿ＭＳのサイズが判定される。一方、原稿ＭＳの地肌が黒色で、第２の判定データによって主走査方向のサイズ判定が行われた場合には、ステップＳ６、Ｓ８、Ｓ１１と同様に全てのＬＥＤアレイ２４１ａ〜２４１ｋを点灯させて長さ幅判定用走査を実行させる。これにより、取得された長さ判定用の判定データにおいて、原稿ＭＳと、原稿押さえ面３４との境界を検出可能となり、副走査方向の原稿ＭＳのサイズが判定される。
【００３２】
以上説明したように本実施の形態においては、プラテンガラス２２を覆う原稿給送部３（プラテンカバー）の開成を検出する第１開閉検出センサー３５と、原稿給送部３（プラテンカバー）の予め設定された閾角度での開成を検出する第２開閉検出センサー２６と、第２開閉検出センサー２６によって閾角度での開成が検出されることなく、第１開閉検出センサー３５によって原稿給送部３（プラテンカバー）の開閉が検出されると、スキャナー２１によって複数個のＬＥＤアレイ２４１ａ〜２４１ｋにおける主走査方向基準線Ａ側の一部のみを点灯させた判定用走査により第３の判定データを取得させ、取得された第３の判定データに基づいて主走査方向の原稿サイズを判定するように構成されている。この構成により、原稿ＭＳの主走査方向基準線Ａから離れた辺の影が原稿押さえ面３４に生じ、第３の判定データでは、原稿押さえ面３４に生じる影の箇所の検出信号が低くなる。従って、原稿給送部３（プラテンカバー）を大きく（閾角度を超えて）開くことなく、プラテンガラス２２への原稿ＭＳの載置が行われた場合でも、第３の判定データに基づき、適切な閾値Ｓを設定して原稿押さえ面３４に生じる影の箇所を検出することで、地肌が白色の原稿ＭＳの主走査方向のサイズを確実に判定することができるという効果を奏する。
【００３３】
さらに、本実施の形態においては、第３の判定データを取得する判定用走査では、主走査方向基準線Ａから、想定される原稿サイズの最小幅よりも狭い範囲のＬＥＤアレイ２４１ａ〜２４１ｃを点灯させるように構成されている。この構成により、原稿ＭＳの主走査方向基準線Ａから離れた辺の影を確実に原稿押さえ面３４に生じさせることができる。
【００３４】
さらに、本実施の形態においては、副走査方向基準線Ｂから副走査方向に最大長さＬMAXを超える範囲の長さ判定用の判定データを取得させ、取得された長さ判定用の判定データに基づいて副走査方向の原稿サイズを判定するように構成されている。この構成により、原稿給送部３（プラテンカバー）を大きく（閾角度を超えて）開くことなく、プラテンガラス２２への原稿ＭＳの載置が行われた場合でも、地肌が白色の原稿ＭＳの副走査方向のサイズを確実に判定することができるという効果を奏する。
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３６】
１  複写機
２  原稿読取部
３  原稿給送部
４  本体部
５  操作部
６  記録部
７  制御部
８  画像処理部
９  記憶部
２１  スキャナー
２２  プラテンガラス
２３  原稿読取スリット
２４  光源
２４１ａ〜２４１ｋ  ＬＥＤアレイ
２４２ａ〜２４２ｋ  駆動回路
２５  受光部
２６  第２開閉検出センサー
３１  原稿載置部
３２  原稿搬送機構
３３  原稿排出部
３４  原稿押さえ面
３５  第１開閉検出センサー
３６  ヒンジ機構
４１  給紙部
４２  給紙ローラー
４３  用紙搬送路
４４  搬送ローラー
４５  排出ローラー
４６  排出空間
５１  液晶表示部
５２  操作ボタン
６１  感光体ドラム
６２  帯電部
６３  露光部
６４  画像形成部
６５  転写部
６６  定着部
６７  クリーニング部
７１  原稿サイズ判定部
【図１】
0005642749.tif 000002
【図２】
0005642749.tif 000003
【図３】
0005642749.tif 000004
【図４】
0005642749.tif 000005
【図５】
0005642749.tif 000006
【図６】
0005642749.tif 000007
【図７】
0005642749.tif 000008
【図８】
0005642749.tif 000009
【図９】
0005642749.tif 000010